(57)【要約】【課題】  ジャンパー線を自挿して電路を形成する工程中に結束用線材を基板本体に固定する工程を組み込む。線処理されたリード線の位置が作業者によって変わらないようにする。【解決手段】  ジャンパー線２が形成する電路を備えた基板本体１に、リード線７を挟み込んで位置決めする結束用線材６が固定されている。結束用線材６をジャンパー線６１，６２によって形成する。電路を形成するジャンパー線２と結束用線材６としてのジャンパー線６１，６２とは、一端及び他端が、基板本体１の各別の貫通孔４３，４４，５３，５４の裏面側の半田ランドに半田付けされている。【選択図】        図１
2007227505.tif 000002
【特許請求の範囲】
【請求項１】
ジャンパー線が形成する電路を備えた基板本体に、当該基板本体の板面に沿って引き廻されるリード線を挟み込んで位置決めする結束用線材が固定されている線処理機能を備える配線基板において、
上記結束用線材が、基板本体の間隔を隔ててその基板本体に対し切離可能に区画形成された２箇所の小片部の相互間領域に全長部分が配備された４条のジャンパー線によって形成され、
上記電路を形成するジャンパー線と上記結束用線材としての４条のジャンパー線とは、それぞれのジャンパー線の一端及び他端が、上記基板本体に具備された各別の貫通孔にその表面側から挿通されてその裏面側の半田ランドに半田付けされていると共に、
上記結束用線材としての４条のジャンパー線は、そのうちの２条のジャンパー線の一端が２箇所の上記小片部の相互間領域に形成された各別の貫通孔に挿通され、かつ、それらのジャンパー線の他端が一方側の上記小片部に形成された各別の貫通孔に挿通されているのに対し、残りの２条のジャンパー線の一端が２箇所の上記小片部の相互間領域に形成された各別の貫通孔に挿通され、かつ、それらのジャンパー線の他端が他方側の上記小片部に形成された各別の貫通孔に挿通されていることを特徴とする線処理機能を備える配線基板。
【請求項２】
自挿されたジャンパー線が形成する電路を備えた基板本体に、当該基板本体の板面に沿って引き廻されるリード線を挟み込んで位置決めするジャンパー線でなる結束用線材が、自挿後に半田付け手段によって固定されていることを特徴とする線処理機能を備える配線基板。
【請求項３】
上記結束用線材が、互いに絡み合わされることによって上記リード線を挾み込む複数条の上記ジャンパー線の組み合わせでなる請求項２に記載した線処理機能を備える配線基板。
【請求項４】
上記電路を形成するジャンパー線と上記結束用線材としてのジャンパー線とは、それぞれのジャンパー線の一端及び他端が、上記基板本体に具備された各別の貫通孔にその表面側から挿通されてその裏面側の半田ランドに半田付けされていると共に、上記基板本体に、上記結束用線材としてのジャンパー線の他端が挿通されている貫通孔の形成箇所を含む小片部が、その基板本体に対して切離可能に区画形成されている請求項２又は請求項３に記載した線処理機能を備える配線基板。
【請求項５】
基板本体の間隔を隔てて区画形成された２箇所の上記小片部の相互間領域に上記結束用線材としての複数条のジャンパー線のそれぞれの全長部分が配備されていて、それらのジャンパー線のうちの一部のジャンパー線の他端が一方側の小片部の貫通孔に挿通されて基板本体の裏面側の半田ランドに半田付けされ、残りのジャンパー線の他端が他方側の小片部の貫通孔に挿通されて基板本体の裏面側の半田ランドに半田付けされている請求項４に記載した線処理機能を備える配線基板。
【発明の詳細な説明】
【技術分野】
【０００１】
本発明は、線処理機能を備える配線基板、特に、自挿されたジャンパー線が形成する電路を備える基板本体に、リード線の引廻し処理といった線処理機能を具備させるための対策を講じた線処理機能を備えた配線基板に関する。
【背景技術】
【０００２】
テレビジョン受像機やＤＶＤ装置といったＡＶ機器のメイン基板は、たとえば電源回路や制御回路といった各種の回路を備えていて、その回路を形成することのために、基板本体に形成されている電路パターン同士をジャンパー線を用いて短絡することがある。一般的な組立ラインにおいて、上記の用途に用いられるジャンパー線は基板本体に自動実装（自挿）されることが多く、そのために、実装後のジャンパー線は基板本体に対して一定の形態で保持されている。
【０００３】
この点を図１０を参照して説明する。同図において、１は基板本体、２はジャンパー線をそれぞれ示している。基板本体１には、あらかじめジャンパー線２の端部を挿入するための貫通孔３が備わっている。この貫通孔３は、１条（１本）のジャンパー線に対し２箇所に設けられていて、その２箇所の貫通孔３，３の相互間隔は、実装するジャンパー線の長さに見合うように定められている。そして、組立ライン中でジャンパー線２が自挿された後では、同図のようにジャンパー線２の一端２１と他端２２とが各別の上記貫通孔３，３に挿入されて少し内側に曲げられている。こうして基板本体１に自挿されたジャンパー線２は、基板本体１に搭載されている他の電気電子部品などの端子（不図示）をディップフローにより基板本体１の裏面側の半田ランドに半田付けする際に、併せて、その一端２１及び他端が上記貫通孔３，３の形成箇所に位置している半田ランドに半田付けされる。２３，２４はディップフローにより形成された半田盛りを示している。また、ジャンパー線２による電路は、１枚の基板本体１の数箇所ないし数十箇所に形成されることも多く、組立ライン中では、基板本体１に対する多くのジャンパー線２の自挿が高速で行われている。
【０００４】
一方、各種電気電子機器に用いられるメイン基板などの配線基板では、その板面に沿ってリード線を引き廻す必要が生じることが多い。そこで、従来より、リード線の引廻し経路を定位置に定めてリード線を位置決めするための手段として各種の方法が提案されていた（たとえば、特許文献１、特許文献２、特許文献３、特許文献４参照）。このうち、特許文献１には、配線基板に半田付けによって門形のジャンパー線を固定しておき、そのジャンパー線の途中箇所を切断することによって得られる一端固定のジャンパー線でなる線材によってリード線を定位置で結束することが開示されている。また、特許文献２には、ワイヤーを基板の開口に挿通させて引き廻す場合に、その開口の打抜き跡にバリが生じていてもワイヤーがそのバリと擦れないようにすることのために、開口を横切って架け渡したジャンパー線によってワイヤーの挿通位置を規制することが開示されている。さらに、特許文献３には、ワイヤホルダーをジャンパー線を用いて基板上に固定することが開示され、特許文献４には、配線基板の捨て板部を利用して切り出した線材保持具を配線基板に半田付けにより固定し、その線材保持具によってリード線を位置決めすることが提案されている。
【特許文献１】実開平３−２８７８４号公報
【特許文献２】特開２００２−２３２１６１号公報
【特許文献３】実開昭６３−３３６９３号公報
【特許文献４】実用新案登録第３０８５８４１号公報
【発明の開示】
【発明が解決しようとする課題】
【０００５】
しかしながら、特許文献１によって示唆されている線処理手段では、配線基板に固定した門形のジャンパー線がその配線基板の板面から突き出ているので、線処理に使われない門形のジャンパー線がリード線や電気電子機器の配置のじゃまになるおそれがあるほか、線処理に使った場合には、ジャンパー線の切れ端が配線基板の板面から突き出たままになって電気電子機器の配置のじゃまになるおそれがある。また、特許文献２によって示唆されている線処理手段は、ワイヤーの動き代を一定範囲内に収める機能を発揮するに過ぎないので、ワイヤーを定位置に動かないように固定したいという要求に応えられない。さらに、特許文献３によって開示されているものは、別部品としてのワイヤホルダーを余分に用いる必要があるという不便があり、特許文献４によって開示されているものは、捨て板部から切り出した板片状の線材保持具を配線基板に固定するのに煩わしい作業を余儀なくされるおそれがある。
【０００６】
本発明は以上の状況の下でなされたものであり、基板本体の板面に沿って引き廻されるリード線を定位置に動かないように固定するという線処理を行う場合に、ジャンパー線を用いることを基本としてワイヤホルダーのような余分な部品を用いる必要をなくすることができ、しかも、線処理のために施した対策によって組立ライン中での配線基板の取扱いが煩わしくなったりすることのない線処理機能を備える配線基板を提供することを目的とする。
【０００７】
また、本発明は、線処理のために基板本体に装備させたジャンパー線を線処理に使わないでそのまま放置しておいても、それが基板本体の板面から突出して他の電気電子部品の実装やリード線の引廻しにじゃまになる、という事態を生じるおそれのない線処理機能を備える配線基板を提供することを目的とする。
【０００８】
さらに、本発明は、基板本体に装備させたジャンパー線を結束用線材としてリード線の線処理に使う場合に、その線処理作業を容易にかつ精度よく行うことのできる線処理機能を備える配線基板を提供することを目的とする。
【課題を解決するための手段】
【０００９】
本発明に係る線処理機能を備える配線基板は、自挿されたジャンパー線が形成する電路を備えた基板本体に、当該基板本体の板面に沿って引き廻されるリード線を挟み込んで位置決めするジャンパー線でなる結束用線材が、自挿後に半田付け手段によって固定されている。
【００１０】
この構成であると、結束用線材でリード線を挾み込んで位置決めすることにより、そのリード線が結束用線材によって基板本体の定位置に動かないように位置決めされる。この場合に、結束用線材が基板本体に固定されているジャンパー線によって形成されているので、作業者によってリード線の位置決め位置が変わるということが起こらなくなって線処理作業を容易にかつ精度よく行うことが可能になる。また、結束用線材が基板本体に自挿されたジャンパー線によって形成されていることから、その結束用線材を基板本体に固定する作業工程を、他の電路を形成するジャンパー線を自挿する作業工程中に組み込んで行うことができるために、そうすることによって結束用線材を基板本体に固定する作業を特別な工程を設けて行う必要がなくなる。同様に、結束用線材がジャンパー線の自挿後に半田付け手段によって基板本体に固定されているという構成を採用したために、その半田付け手段によって結束用線材を基板本体に固定する工程を、電路を形成している他のジャンパー線や必要な出来電子部品の端子を基板本体の回路パターンにディップフローで半田付けする工程に組み込んで行うことが可能である。
【００１１】
本発明では、上記結束用線材が、互いに絡み合わされることによって上記リード線を挾み込む複数条の上記ジャンパー線の組み合わせでなる、という構成を採用することができ、これによれば、リード線に巻き付けた複数条のジャンパー線を捩じって絡ませるという手法でリード線を定位置に位置決めすることが可能になる。
【００１２】
本発明では、上記電路を形成するジャンパー線と上記結束用線材としてのジャンパー線とは、それぞれのジャンパー線の一端及び他端が、上記基板本体に具備された各別の貫通孔にその表面側から挿通されてその裏面側の半田ランドに半田付けされていると共に、上記基板本体に、上記結束用線材としてのジャンパー線の他端が挿通されている貫通孔の形成箇所を含む小片部が、その基板本体に対して切離可能に区画形成されていることが望ましい。これによれば、電路を形成するジャンパー線と結束用線材を形成するジャンパー線とが、同一の構造で基板本体に装備されることになるので、それらの各ジャンパー線を同じ装置を用いて連続的に基板本体に自挿することができるという利便がある。また、ジャンパー線を自挿するための装置を用いることによって、それらの各ジャンパー線が基板本体の板面に接触して配備されるようになるので、ジャンパー線が基板本体の板面から突き出てリード線の引廻しや電気電子部品の実装のじゃまになるということがなくなる。その上、結束用線材としてのジャンパー線を線処理に用いる場合には、基板本体から切り離した小片部を手の指や治具で掴んでジャンパー線を捩じったりすることができるために、その小片部が線処理作業時の把手として役立つようになって線処理作業性が向上するという利点がある。
【００１３】
本発明では、基板本体の間隔を隔てて区画形成された２箇所の上記小片部の相互間領域に上記結束用線材としての複数条のジャンパー線のそれぞれの全長部分が配備されていて、それらのジャンパー線のうちの一部のジャンパー線の他端が一方側の小片部の貫通孔に挿通されて基板本体の裏面側の半田ランドに半田付けされ、残りのジャンパー線の他端が他方側の小片部の貫通孔に挿通されて基板本体の裏面側の半田ランドに半田付けされているという構成を採用することが望ましい。これによれば、基板本体から切り離した２箇所の小片部を基板本体から浮かして捩じり合わせるという簡単な作業を行うだけで、一部のジャンパー線と残りのジャンパー線との間に配備されたリード線が定位置に位置決めされることになる。
【００１４】
本発明に係る線処理機能を備える配線基板は、ジャンパー線が形成する電路を備えた基板本体に、当該基板本体の板面に沿って引き廻されるリード線を挟み込んで位置決めする結束用線材が固定されている線処理機能を備える配線基板において、上記結束用線材が、基板本体の間隔を隔ててその基板本体に対し切離可能に区画形成された２箇所の小片部の相互間領域に全長部分が配備された４条のジャンパー線によって形成され、上記電路を形成するジャンパー線と上記結束用線材としての４条のジャンパー線とは、それぞれのジャンパー線の一端及び他端が、上記基板本体に具備された各別の貫通孔にその表面側から挿通されてその裏面側の半田ランドに半田付けされていると共に、上記結束用線材としての４条のジャンパー線は、そのうちの２条のジャンパー線の一端が２箇所の上記小片部の相互間領域に形成された各別の貫通孔に挿通され、かつ、それらのジャンパー線の他端が一方側の上記小片部に形成された各別の貫通孔に挿通されているのに対し、残りの２条のジャンパー線の一端が２箇所の上記小片部の相互間領域に形成された各別の貫通孔に挿通され、かつ、それらのジャンパー線の他端が他方側の上記小片部に形成された各別の貫通孔に挿通されている、という構成を採用することによっていっそう具体化される。この発明の作用などについては後述する実施形態を参照して詳細に説明する。
【発明の効果】
【００１５】
以上のように、本発明に係る線処理機能を備える配線基板は、電路を形成するジャンパー線を備えた基板本体に、ジャンパー線でなる結束用線材を固定したものであるので、ジャンパー線を自挿して電路を形成する工程中に結束用線材を基板本体に固定する工程を組み込むことができる。そのため、ワイヤホルダーのような別部品を用いることなく、しかも、特別な工程を別途行うことなく、配線基板に線処理機能を付与することが可能になるという卓越した効果が奏される。しかも、リード線がジャンパー線でなる結束用線材を使って基板本体に対する定位置に精度よく位置決めされるために、線処理されたリード線の位置が作業者によって変わるという事態が起こらない。また、結束用線材を線処理に使わないでそのまま放置しておいても、それが基板本体の板面から突出して他の電気電子部品の実装やリード線の引廻しにじゃまになる、という事態を生じない。
【発明を実施するための最良の形態】
【００１６】
図１は本発明の実施形態に係る配線基板Ａの要部の平面図、図２は図１のＩＩ−ＩＩ線に沿う部分の断面図、図３は結束用線材６を用いてリード線７を結束する作業工程の初期段階を示した説明図、図４はリード線７の結束状態を示した説明図である。また、図５は２本のリード線７，８の結束状態を示した説明図である。さらに、図６は変形例に係る配線基板Ａの要部の平面図、図７は他の変形例に係る配線基板Ａの要部の平面図、図８は結束用線材６を１本のジャンパー線６１によって構成した事例の要部の平面図、図９は図８の配線基板Ａについてのリード線７の結束状態を例示した説明図である。
【００１７】
図１及び図２の配線基板Ａでは、基板本体１の所定間隔を隔てた２箇所に略コ字形スリット状の打抜き跡４１，５１を形成することによって、その基板本体１に２つの小片部４，５が略対象形状に形成されている。これらの小片部４，５は、幅狭の連結片部４２，５２によって基板本体１に連設一体化されていると共に、それらの連結片部４２，５２は、組立ライン中の作業者が常時携帯しているニッパなどの切断工具を用いて切断したり、あるいは、作業者が手の指やドライバなどの工具を使って小片部４，５を押し下げたりこじ上げたりして破断することが容易に可能である。
【００１８】
この基板本体１において、上記２箇所の小片部４，５の裏面や、それらの小片部４，５の相互領域の中央部裏面には、半田ランド（不図示）が形成されている。また、それぞれの小片部４，５にはその裏面の半田ランドで開口する２つずつの貫通孔４３，５３が形成されていることに加え、それらの小片部４，５の相互領域の中央部には、一方側の小片部４の２つの貫通孔４３に各別に対応する２つの貫通孔４４と、他方側の小片部５の２つの貫通孔５３に各別に対応する２つの貫通孔５４とが形成されていて、それらが裏面の半田ランドで開口している。
【００１９】
この実施形態において、結束用線材６は、２箇所の上記小片部４，５の相互間領域に全長部分が配備された４本のジャンパー線６１，６２によって形成されていて、それらのジャンパー線６１，６２は２本を１組として２組に分けられている。また、一方の組に属する２本のジャンパー線６１が平行に配備されて、それぞれの一端が中央部の２つの貫通孔４４に各別に挿入されているのに対し、それぞれの他端が一方側の小片部４の２つの貫通孔４３に各別に挿入されている。これと同様に、他方の組に属する２本のジャンパー線６２が平行に配備されて、それぞれの一端が中央部の２つの貫通孔５４に各別に挿入されているのに対し、それぞれの他端が他方側の小片部５の２つの貫通孔５３に各別に挿入されている。そして、それぞれの貫通孔４３，４４，５３，５４に挿入されているジャンパー線６１，６２の一端や他端は、図２のように上記した裏面側の半田ランドに半田付けされている。図２において、４５，４６，５５，５６は半田盛りを示している。
【００２０】
また、図１及び図２に示した基板本体１には、図１０を参照して説明した形態で電路を形成するジャンパー線２が所要箇所に装備されている。そして、このような電路を形成するジャンパー線２と、図１及び図２を参照して説明した結束用線材６を形成しているジャンパー線６１，６２は、基板本体１にジャンパー線を自挿することのために汎用される同じ装置を用いて連続的に順次高速で基板本体１に装備されている。また、この装置を用いてジャンパー線を自挿すると、図１０や図２に示したように、電路を形成するジャンパー線２や結束用線材６を形成するジャンパー線６１，６２が、基板本体１の板面に接触して装備される。そのために、それらのジャンパー線２，６１，６２が基板本体１の板面から突き出て他リード線の引廻しや電気電子部品の実装のじゃまになることはない。
【００２１】
図３は左右２本ずつのジャンパー線６１，６２でなる結束用線材６を用いてリード線７を結束する作業工程の初期段階を示した説明図、図４はリード線７を結束した状態を示した説明図である。なお、図３及び図４には円形断面形状のリード線７を示してあるけれども、結束用線材６を用いて結束する対象となるリード線はフラットケーブルのような偏平な形状のものであってもよい。また、リード線７は、基板本体１の回路パターンから引き出されたものであっても、別の配線基板から導出されたものであってもよい。
【００２２】
リード線７の結束工程は、たとえは次の手順に従って行われる。すなわち、図１又は図２に示した２箇所の小片部４，５を基板本体１に連結している連結片部４２，５２を破断してそれらの小片部４，５を基板本体１から切り離した後、図３のように、それらの小片部４，５を基板本体１から浮き上がらせることと、リード線７を左右２本ずつのジャンパー線６１，６２の中間部に配備することとを行う。次に、図４のように、左右のジャンパー線６１，６２の相互間にリード線７を挾み込んでそれらのジャンパー線６１，６２を捩じり合わせることによりリード線７を固定する。このようにすると、リード線７が、基板本体１に固定されている結束用線材６によって定位置に動かないように精度よく固定される。また、左右のジャンパー線６１，６２を捩じり合わせるときに、小片部４を把手として活用することができるために、その捩じり合わせ作業を楽に行うことができるという利点がある。
【００２３】
図４には１本のリード線７を１箇所の結束用線材６を使って位置決めしたものを説明したけれども、この実施形態の配線基板Ａでは、２本のリード線を１箇所の結束用線材６を使って固定することも可能である。その事例を図５に示してある。すなわち、２本のリード線７，８は互いに交差方向に引き廻されていて、片側のリード線７を、左右のジャンパー線６１，６２を捩じり合わせることによって位置決めした後で、その上に配備した他側のリード線８を、左右のジャンパー線６１，６２を捩じり合わせることによって位置決めしてある。このようにすると、２本のリード線７，８が１箇所の結束用線材６を使って位置決めされるために、それらのリード線７，８を個別に別々の結束用線材で位置決めする場合に比べて作業性が向上するという利点がある。
【００２４】
図１及び図２を参照して説明した配線基板Ａでは、結束用線材６を形成している左右のジャンパー線６１，６２が図１に示されているように完全に左右に振り分けて配備されているけれども、この点は、図６に示した変形例に係る配線基板Ａのように、貫通孔４４，５４の位置を変更することによって、左右のジャンパー線６１，６２が一端側で重畳した形態となるように配備することも可能である。
【００２５】
また、図１及び図２や図６に示した配線基板Ａでは、結束用線材６を左右２本ずつのジャンパー線６１，６２により形成することによって、リード線７，８を強固に定位置に固定することができるようにしてあるけれども、この点は、図７に示した配線基板Ａのように、左右１本ずつのジャンパー線６１，６２によって結束用線材６を形成しておいてもよい。
【００２６】
また、図８に示したように、結束用線材６を１本だけのジャンパー線６１によって構成することも可能である。この場合には、図９のように、１本のジャンパー線６１をリード線７に巻き付けることによってそのリード線７を位置決めすることが可能になる。
【００２７】
図６〜図９において、上述した以外の事項は図１〜図５を参照して説明したところと同様である。したがって、図１〜図９において、同一又は相応する部分には同一符号を付すことによって説明が重複することを回避してある。
【図面の簡単な説明】
【００２８】
【図１】本発明の実施形態に係る配線基板の要部の平面図である。
【図２】図１のＩＩ−ＩＩ線に沿う部分の断面図である。
【図３】結束用線材を用いてリード線を結束する作業工程の初期段階を示した説明図である。
【図４】リード線の結束状態を示した説明図である。
【図５】２本のリード線の結束状態を示した説明図である。
【図６】変形例に係る配線基板の要部の平面図である。
【図７】他の変形例に係る配線基板の要部の平面図である。
【図８】結束用線材を１本のジャンパー線によって構成した事例の要部の平面図である。
【図９】図８の配線基板についてのリード線の結束状態を例示した説明図である。
【図１０】電路を形成すジャンパー線を有する配線基板の縦断面図である。
【符号の説明】
【００２９】
Ａ  配線基板
１  基板本体
２  ジャンパー線（電路を形成するジャンパー線）
４，５  小片部
６  結束用線材
７，８  リード線
４３，４４，５３，５４  貫通孔
６１，６２  ジャンパー線（結束用線材を形成するジャンパー線）
【図１】
2007227505.tif 000003
【図２】
2007227505.tif 000004
【図３】
2007227505.tif 000005
【図４】
2007227505.tif 000006
【図５】
2007227505.tif 000007
【図６】
2007227505.tif 000008
【図７】
2007227505.tif 000009
【図８】
2007227505.tif 000010
【図９】
2007227505.tif 000011
【図１０】
2007227505.tif 000012